(57)【要約】【課題】モータを２つ備えるという構成によらずとも、清掃部材によって放電電極を適切に清掃可能なイオン発生装置を提供する。【解決手段】イオン発生装置は、イオンを発生させる放電電極１と、出力軸を有するモータ２と、出力軸に連結されており、モータ２に回転駆動されることで、放電電極１で発生したイオンを送風気流に乗せて外部に送り出すファン３と、放電電極を清掃するための清掃部４ｂを有する回転部材４と、回転部材４がモータ２の出力軸に連結された連結状態と、回転部材４がモータ２の出力軸に連結されていない非連結状態とを切り替える切替機構５と、切替機構５を作動させることで、連結状態と非連結状態とを切り替える制御部６とを備える。回転部材４の清掃部４ｂは、回転部材４が連結状態を形成している際にモータ２により回転駆動されることで、放電電極１を清掃する。【選択図】図２
2017107759.tif 000002
【特許請求の範囲】
【請求項１】
イオンを発生させる放電電極と、
出力軸を有するモータと、
前記出力軸に連結されており、前記モータに回転駆動されることで、前記放電電極で発生したイオンを送風気流に乗せて外部に送り出すファンと、
前記放電電極を清掃するための第１清掃部を有する回転部材と、
前記回転部材が前記モータの前記出力軸に連結された連結状態と、前記回転部材が前記モータの前記出力軸に連結されていない非連結状態とを切り替える切替機構と、
前記切替機構を作動させることで、前記連結状態と前記非連結状態とを切り替える制御部と、を備え、
前記回転部材の前記第１清掃部は、前記回転部材が前記連結状態を形成している際に前記モータにより回転駆動されることで、前記放電電極を清掃する、
イオン発生装置。
【請求項２】
前記出力軸は、モータ本体部の一方側に突出する第１出力部と、前記モータ本体部の他方側に突出する第２出力部と、を含み、
前記ファンは、前記第１出力部に連結されており、
前記回転部材は、前記切替機構によって、前記第２出力部に連結された前記連結状態と前記第２出力部に連結されていない前記非連結状態とが切り替えられる、
請求項１に記載のイオン発生装置。
【請求項３】
前記回転部材の回転方向における位置を検知する検知部をさらに備え、
前記制御部は、前記回転部材の回転方向における位置が予め定められた範囲以内にあるときは、前記放電電極に電圧が印加されることを許容し、前記回転部材の回転方向における位置が予め定められた前記範囲以内にないときは、前記放電電極に電圧が印加されることを許容しない、
請求項１または２に記載のイオン発生装置。
【請求項４】
正イオンおよび負イオンのイオンバランスを検出するバランスセンサをさらに備え、
前記回転部材は、前記バランスセンサを清掃するための第２清掃部を有し、
前記回転部材の前記第２清掃部は、前記回転部材が前記連結状態を形成している際に前記モータにより回転駆動されることで、前記バランスセンサを清掃する、
請求項１から３のいずれかに記載のイオン発生装置。
【請求項５】
筒状部を有し、前記筒状部の内側に流路を形成する筐体と、
前記筒状部の内側に配置されており、イオンを発生させる放電電極と、
前記放電電極で発生したイオンを送風気流に乗せて外部に送り出すファンと、
前記筒状部の外側に配置されており、正イオンおよび負イオンのイオンバランスを検出するバランスセンサと、を備える、
イオン発生装置。
【発明の詳細な説明】
【技術分野】
【０００１】
本発明は、コロナ放電によりイオンを発生させるイオン発生装置に関する。
【背景技術】
【０００２】
特開２００９−０５４３１５号公報（特許文献１）および特開２００９−１５８４１２号公報（特許文献２）に開示されているように、コロナ放電によりイオンを発生させるイオン発生装置が知られている。これらのイオン発生装置は、放電電極で発生したイオンを送風気流に乗せて外部に送り出すファンと、放電電極を清掃するための清掃部材とを備えている。
【０００３】
特開２０１３−２５７９５２号公報（特許文献３）に開示されているように、イオン発生装置は、除電装置として用いられる場合もある。特許文献３に開示された除電装置は、イオンバランスを検出するバランスセンサ（イオンモニタ）を備えている。
【先行技術文献】
【特許文献】
【０００４】
【特許文献１】特開２００９−０５４３１５号公報
【特許文献２】特開２００９−１５８４１２号公報
【特許文献３】特開２０１３−２５７９５２号公報
【発明の概要】
【発明が解決しようとする課題】
【０００５】
特開２００９−０５４３１５号公報（特許文献１）および特開２００９−１５８４１２号公報（特許文献２）に開示されたイオン発生装置は、ファンを駆動するためのモータとは別に、清掃部材を駆動するためのモータを備えている。モータを２つ備えるという構成は、部品点数の増大を招いたり、製造費用の上昇を招いたりする可能性がある。
【０００６】
したがって本発明の第１の目的は、モータを２つ備えるという構成によらずとも、清掃部材によって放電電極を適切に清掃することが可能なイオン発生装置を提供することを目的とする。
【０００７】
特開２０１３−２５７９５２号公報（特許文献３）には、放電電極近傍にメッシュ金属板を配置し、メッシュ金属板の近傍にバランスセンサ（イオンモニタ）を配置する旨を開示している。放電電極で発生したイオンは、ファンの送風を受けて、流路内を流れる。この流路内に露出するようにバランスセンサを配置した場合には、バランスセンサにほこりが付着したり、バランスセンサが静電気の影響を受けたりといった不具合が発生する可能性がある。
【０００８】
したがって本発明の第２の目的は、イオンが流れる流路内にバランスセンサを配置しなくても、イオンバランスを検出することが可能なバランスセンサを備えたイオン発生装置を提供することを目的とする。
【課題を解決するための手段】
【０００９】
本発明の第１局面に基づくイオン発生装置は、イオンを発生させる放電電極と、出力軸を有するモータと、上記出力軸に連結されており、上記モータに回転駆動されることで、上記放電電極で発生したイオンを送風気流に乗せて外部に送り出すファンと、上記放電電極を清掃するための第１清掃部を有する回転部材と、上記回転部材が上記モータの上記出力軸に連結された連結状態と、上記回転部材が上記モータの上記出力軸に連結されていない非連結状態とを切り替える切替機構と、上記切替機構を作動させることで、上記連結状態と上記非連結状態とを切り替える制御部と、を備え、上記回転部材の上記第１清掃部は、上記回転部材が上記連結状態を形成している際に上記モータにより回転駆動されることで、上記放電電極を清掃する。
【００１０】
上記イオン発生装置において好ましくは、上記出力軸は、モータ本体部の一方側に突出する第１出力部と、上記モータ本体部の他方側に突出する第２出力部と、を含み、上記ファンは、上記第１出力部に連結されており、上記回転部材は、上記切替機構によって、上記第２出力部に連結された上記連結状態と上記第２出力部に連結されていない上記非連結状態とが切り替えられる。
【００１１】
上記イオン発生装置において好ましくは、上記回転部材の回転方向における位置を検知する検知部をさらに備え、上記制御部は、上記回転部材の回転方向における位置が予め定められた範囲以内にあるときは、上記放電電極に電圧が印加されることを許容し、上記回転部材の回転方向における位置が予め定められた上記範囲以内にないときは、上記放電電極に電圧が印加されることを許容しない。
【００１２】
上記イオン発生装置において好ましくは、正イオンおよび負イオンのイオンバランスを検出するバランスセンサをさらに備え、上記回転部材は、上記バランスセンサを清掃するための第２清掃部を有し、上記回転部材の上記第２清掃部は、上記回転部材が上記連結状態を形成している際に上記モータにより回転駆動されることで、上記バランスセンサを清掃する。
【００１３】
本発明の第２局面に基づくイオン発生装置は、筒状部を有し、上記筒状部の内側に流路を形成する筺体と、上記筒状部の内側に配置されており、イオンを発生させる放電電極と、上記放電電極で発生したイオンを送風気流に乗せて外部に送り出すファンと、上記筒状部の外側に配置されており、正イオンおよび負イオンのイオンバランスを検出するバランスセンサと、を備える。
【発明の効果】
【００１４】
本発明の第１の局面によれば、ファンを駆動するためのモータが、回転部材（清掃部材）を駆動するモータを兼ねており、モータが兼用されている分だけ、部品点数および製造費用の削減を図ることが可能となっている。
【００１５】
本発明の第２の局面によれば、イオンが流れる流路内にバランスセンサが配置されていないが、筒状部の外側に配置されたバランスセンサによって、イオンバランスを検出することが可能となっている。
【図面の簡単な説明】
【００１６】
【図１】実施の形態１におけるイオン発生装置１０を模式的に示す正面図である。
【図２】実施の形態１におけるイオン発生装置１０（非連結状態）を模式的に示す断面図である。
【図３】実施の形態１におけるイオン発生装置１０（連結状態）を模式的に示す断面図である。
【図４】実施の形態２におけるイオン発生装置１０Ａを模式的に示す断面図である。
【図５】実施の形態３におけるイオン発生装置１０Ｂを模式的に示す正面図である。
【図６】実施の形態３の変形例におけるイオン発生装置１０Ｃを模式的に示す断面図である。
【図７】実施の形態４におけるイオン発生装置１０Ｄ（非連結状態）を模式的に示す断面図である。
【図８】実施の形態４におけるイオン発生装置１０Ｄ（連結状態）を模式的に示す断面図である。
【図９】実施の形態４の変形例におけるイオン発生装置１０Ｅを模式的に示す断面図である。
【図１０】実施の形態５におけるイオン発生装置１０Ｆを模式的に示す断面図である。
【発明を実施するための形態】
【００１７】
実施の形態について、以下、図面を参照しながら説明する。同一の部品および相当部品には同一の参照番号を付し、重複する説明は繰り返さない場合がある。
【００１８】
［実施の形態１］
図１および図２は、それぞれ、実施の形態１におけるイオン発生装置１０を模式的に示す正面図および断面図である。図１に示すように、イオン発生装置１０は、放電電極１、メッシュカバー１Ｓ（図２）、モータ２、ファン３、回転部材４、切替機構５（図２）、制御部６、電源７ａ，７ｂ、筺体１０Ｕ、筒状部１０Ｔ、および起動スイッチ１０Ｓを備える。
【００１９】
筺体１０Ｕは、略直方体状の形状を有し、筺体１０Ｕの中に、筒状部１０Ｔが設けられる。筒状部１０Ｔは、イオンが通過する流路をその内側に形成する。筺体１０Ｕの表面には、起動スイッチ１０Ｓ（図１）が露出している。イオン発生装置１０は、２対の放電電極１（計４本の放電電極１）を有する。放電電極１の各々は、先端部１Ｔを有し、電源７ａ，７ｂから高電圧が印加されることで、先端部１Ｔにおいてイオンを発生させる。
【００２０】
図２を参照して、放電電極１、モータ２およびファン３は、筒状部１０Ｔの内側に配置されている。モータ２は、モータ本体部２ｍ、出力軸（出力部２ａ，出力部２ｂ）、および回転体２ｄを含む。本実施の形態のモータ２は、いわゆる両軸モータであり、１本の出力軸が、出力部２ａおよび出力部２ｂを有している。換言すると、モータ２の出力軸は、モータ本体部２ｍの一方側に突出する出力部２ａ（第１出力部）と、モータ本体部２ｍの他方側に突出する出力部２ｂ（第２出力部）とを有している。回転体２ｄは、モータ２の出力部２ｂに設けられている。
【００２１】
ファン３は、出力軸（第１出力部としての出力部２ａ）に連結されている。ファン３は、モータ２に回転駆動されることで、放電電極１で発生したイオンを送風気流に乗せて外部に送り出すことができる。なお、ファン３がモータ２からの駆動力を受けて回転している際には、回転体２ｄも、出力軸（出力部２ａ，出力部２ｂ）と一体的に回転している。
【００２２】
回転部材４は、軸部４ａおよびブラシ部４ｂ（第１清掃部）を含む。軸部４ａは、径方向（図１参照）に延びる形状を有する。軸部４ａの径方向における内側の部分には、切替機構５の作動軸５ｂが接続されており、軸部４ａの径方向における外側の部分には、ブラシ部４ｂが設けられている。回転部材４（軸部４ａ）が回転することで、ブラシ部４ｂは放電電極１の先端部１Ｔを清掃することができる。
【００２３】
切替機構５は、たとえばプッシュソレノイドから構成される。本実施の形態の切替機構５は、本体部５ａおよび作動軸５ｂを含む。本体部５ａおよび作動軸５ｂは、モータ２およびファン３と同軸状に配置されている。切替機構５は、作動軸５ｂが軸方向に移動することで、回転部材４の軸部４ａを回転体２ｄに押し付けたり、回転部材４の軸部４ａを回転体２ｄから離間させたりすることができる。
【００２４】
図３を参照して、回転部材４の軸部４ａが回転体２ｄに押し付けられると、回転部材４（軸部４ａ）は、回転体２ｄを介してモータ２の出力軸（出力部２ｂ）に連結される（図３に示す状態が得られる）。なお、ここでいう連結とは、２つの回転要素が駆動力を伝達可能に連結された状態を表し、当該２つの回転要素が一体的に回転するように連結された状態、あるいは当該２つの回転要素が一または二以上の伝動部材を介して駆動力を伝達可能に連結された状態を含む概念である。
【００２５】
一方、回転部材４の軸部４ａが回転体２ｄから離間すると、回転部材４（軸部４ａ）は、モータ２の出力軸（出力部２ｂ）から切り離される。すなわち、切替機構５は、回転部材４（軸部４ａ）が回転体２ｄを介してモータ２の出力軸（出力部２ｂ）に連結された連結状態と、回転部材４（軸部４ａ）がモータ２の出力軸（出力部２ｂ）に連結されていない非連結状態とを切り替えることができる。
【００２６】
制御部６は、切替機構５を作動させることで、上記連結状態と上記非連結状態とを切り替える。回転部材４のブラシ部４ｂ（第１清掃部）は、回転部材４が上記連結状態を形成している際にモータ２により回転駆動されることで、放電電極１を清掃することができる。
【００２７】
制御部６は、たとえば、イオン発生装置１０の起動スイッチ１０ＳがＯＦＦに切り替えられた際に、電源７ａ，７ｂから放電電極１への電圧供給を停止させる。制御部６は、その後、切替機構５を作動させ、回転部材４をモータ２に連結する。モータ２の出力軸は、ファン３の惰性により、ファン３とともにしばらく回転し続ける。回転部材４も、ファン３とともに回転するため、ブラシ部４ｂは放電電極１を清掃することが可能となる。
【００２８】
ファン３の惰性のみを利用して回転部材４を回転させるという構成に限られない。制御部６は、電源７ａ，７ｂから放電電極１への電圧供給を停止させた後に、切替機構５を作動させ、回転部材４をモータ２に連結する。その後、放電電極１への電圧供給が停止されている状態で、制御部６はモータ２をしばらく回転させてもよい。回転部材４が一定時間回転することで、ブラシ部４ｂは放電電極１を清掃することが可能となる。
【００２９】
清掃のタイミングは、起動スイッチ１０ＳがＯＦＦに切り替えられた際に限られない。イオン発生装置１０が所定時間（たとえば２４時間）だけ連続運転を継続したことを制御部６が検知した際に、清掃動作を行なってもよい。制御部６は、イオン発生装置１０が所定時間（たとえば２４時間）だけ連続運転を継続したことを検知した場合には、電源７ａ，７ｂから放電電極１への電圧供給を停止させる。制御部６は、その後、切替機構５を作動させ、回転部材４をモータ２に連結する。制御部６は、モータ２をしばらく回転させる。回転部材４が一定時間（たとえば２０分や３０分）回転することで、ブラシ部４ｂは放電電極１を清掃することが可能となる。
【００３０】
イオン発生装置１０は、イオン量を検知するセンサや、正イオンおよび負イオンのイオンバランスを検出するバランスセンサを備えていてもよい。制御部６は、イオン量が閾値以下となったり、イオンバランスが閾値以下となったりしたことを検知した場合には、電源７ａ，７ｂから放電電極１への電圧供給を停止させる。制御部６は、その後、切替機構５を作動させ、回転部材４をモータ２に連結する。制御部６は、モータ２をしばらく回転させる。回転部材４が一定時間（たとえば２０分や３０分）回転することで、ブラシ部４ｂは放電電極１を清掃することが可能となる。
【００３１】
（作用および効果）
冒頭で述べたように、特開２００９−０５４３１５号公報（特許文献１）および特開２００９−１５８４１２号公報（特許文献２）に開示されたイオン発生装置は、ファンを駆動するためのモータとは別に、清掃部材を駆動するためのモータを備えている。モータを２つ備えるという構成は、部品点数の増大を招いたり、製造費用の上昇を招いたりする可能性がある。これに対して本実施の形態においては、ファン３を駆動するためのモータ２が、回転部材４（清掃部材）を駆動するモータを兼ねている。モータが兼用されている分だけ、部品点数および製造費用の削減を図ることが可能となっている。
【００３２】
また、特開２００９−０５４３１５号公報（特許文献１）では、清掃部材を駆動するためのモータと清掃部材との間にベルトが設けられている。本実施の形態のイオン発生装置１０においては、このようなベルトは特段不要であり、ベルトをメンテナンスする手間および費用を低減することも可能となっている。
【００３３】
上述のとおり、制御部６によって、放電電極１の清掃が適切なタイミングで自動的に行われるように設定することができる。手動による清掃の手間を省くことが可能であり、放電電極１のメンテナンスの不備によりイオン発生装置１０の性能が低下することを未然に防止でき、ひいては歩留まりの改善につなげることも可能となっている。
【００３４】
［実施の形態２］
図４は、実施の形態２におけるイオン発生装置１０Ａを模式的に示す断面図である。実施の形態１におけるイオン発生装置１０と実施の形態２におけるイオン発生装置１０Ａとは、以下の点において相違している。
【００３５】
実施の形態１におけるイオン発生装置１０においては、出力部２ａにファン３が連結され、出力部２ｂに回転部材４が連結される。これに対して、実施の形態２におけるイオン発生装置１０Ａにおいては、片軸モータであるモータ２が用いられており、ファン３および回転部材４の双方が、モータ２の出力部２ａに連結される。
【００３６】
具体的には、出力部２ａには、回転体２ｐが設けられている。回転体２ｐは、他の回転体２ｑと接しており、回転体２ｐと回転体２ｑとは同期しながら回転している。本実施の形態の回転部材４の軸部４ａには、端部に押圧部４ｑが設けられている。押圧部４ｑおよび回転体２ｑは、同軸状に配置されている。
【００３７】
切替機構５は、作動軸５ｂが軸方向に移動することで、回転部材４の押圧部４ｑを回転体２ｑに押し付けたり、回転部材４の押圧部４ｑを回転体２ｑから離間させたりすることができる。回転部材４の押圧部４ｑが回転体２ｑに押し付けられると、回転部材４（軸部４ａ）は、回転体２ｑ，２ｐを介してモータ２の出力軸（出力部２ａ）に連結される。
【００３８】
イオン発生装置１０Ａの構成によっても、ファン３を駆動するためのモータ２が、回転部材４（清掃部材）を駆動するモータを兼ねている。モータが兼用されている分だけ、部品点数および製造費用の削減を図ることが可能となっている。
【００３９】
［実施の形態３］
図５は、実施の形態３におけるイオン発生装置１０Ｂを模式的に示す正面図である。実施の形態１におけるイオン発生装置１０と実施の形態３におけるイオン発生装置１０Ｂとは、以下の点において相違している。
【００４０】
イオン発生装置１０Ｂは、回転部材４の回転方向における位置を検知する検知部４Ｓをさらに備えている。本実施の形態では、４つの検知部４Ｓが９０°間隔で筒状部１０Ｔの内側に設けられている。検知部４Ｓが検知した結果は、制御部６に送出される。制御部６は、回転部材４の回転方向における位置が予め定められた範囲以内にあるときは、放電電極１に電圧が印加されることを許容する。制御部６は、回転部材４の回転方向における位置が予め定められた範囲以内にないときは、放電電極１に電圧が印加されることを許容しない。
【００４１】
当該構成によれば、たとえば、放電電極１の先端部１Ｔがブラシ部４ｂで覆われた状態で、放電電極１の放電が開始してしまうことを未然に防止することが可能となる。検知部４Ｓとしては、たとえばホールＩＣや、レーザによる位置検出や、ロータリーエンコーダなどを用いることが可能である。
【００４２】
起動スイッチ１０Ｓを入れた際に、放電電極１の先端部１Ｔがブラシ部４ｂで覆われている場合には、制御部６は、切替機構５（図２参照）を作動させ、回転部材４をモータ２に連結する。その後、放電電極１へ電圧が供給されていない状態で、制御部６はモータ２を回転させ、ブラシ部４ｂが放電電極１から離れるまで、回転部材４を所定角度だけ回転させるとよい。
【００４３】
（実施の形態３の変形例）
図６に示すイオン発生装置１０Ｃは、イオン発生装置１０Ｂ（実施の形態３）の構成に加えて、ハンドル５ｃをさらに備えている。たとえば、検知部４Ｓにより、放電電極１の先端部１Ｔがブラシ部４ｂで覆われた状態であることが検知されたとする。制御部６は、図示しない報知手段（ＬＥＤ）によって、ユーザーにハンドル５ｃを用いて回転部材４を回転させるように促してもよい。当該構成によっても、放電電極１の先端部１Ｔがブラシ部４ｂで覆われた状態で、放電電極１の放電が開始してしまうことを未然に防止することが可能となる。
【００４４】
また、不意にハンドル５ｃが操作されることで、回転部材４が回転してしまい、その結果、放電電極１の先端部１Ｔがブラシ部４ｂで覆われることもある。この際には、検知部４Ｓにより、放電電極１の先端部１Ｔがブラシ部４ｂで覆われた状態であることが検知され、制御部６は、電源７ａ，７ｂから放電電極１への電圧印加を停止させるとよい。
【００４５】
上述の実施の形態３および実施の形態３の変形例は、清掃部材（回転部材４）の回転方向における位置に応じて、放電電極１の放電が開始されてしまうことを防止したり、放電電極１の放電を停止させたりするものである。上述の実施の形態３および実施の形態３の変形例で開示した技術思想は、清掃部材の回転方向における位置に限られず、清掃部材の直線方向における位置に応じて、放電電極１の放電が開始されてしまうことを防止したり、放電電極１の放電を停止させたりしてもよい。
【００４６】
［実施の形態４］
図７は、実施の形態４におけるイオン発生装置１０Ｄを模式的に示す断面図である。実施の形態１におけるイオン発生装置１０と実施の形態４におけるイオン発生装置１０Ｄとは、以下の点において相違している。
【００４７】
イオン発生装置１０Ｄは、正イオンおよび負イオンのイオンバランスを検出するバランスセンサ８をさらに備えている。バランスセンサ８は、環状の形状を有しており、モータ２の周囲を取り囲むように、筒状部１０Ｔの内壁に沿って配置されている。回転部材４は、軸部４ａおよびブラシ部４ｂ（第１清掃部）に加えて、ブラシ部４ｃ（第２清掃部）を備えている。
【００４８】
図８に示すように、回転部材４が連結状態を形成している際に回転部材４がモータ２により回転駆動されることで、回転部材４のブラシ部４ｂは放電電極１を清掃することができ、回転部材４のブラシ部４ｃはバランスセンサ８を清掃することができる。当該構成によれば、放電電極１およびバランスセンサ８を同時に清掃可能となる。なお、ブラシ部４ｂ，４ｃの相対位置関係や、ブラシ部４ｂ，４ｃの設ける個数を変更することで、放電電極１のみブラシ部４ｂで清掃したり、バランスセンサ８のみをブラシ部４ｃで清掃したりするといったことをも実現可能である。
【００４９】
（実施の形態４の変形例）
図９に示すイオン発生装置１０Ｅは、イオン発生装置１０Ｄ（実施の形態４）の構成に加えて、バランスセンサ８ａをさらに備えている。バランスセンサ８ａは、バランスセンサ８と同心状に、かつバランスセンサ８の内側に配置されている。回転部材４は、ブラシ部４ｄ（第３清掃部）をさらに備えている。
【００５０】
回転部材４が連結状態を形成している際に回転部材４がモータ２により回転駆動されることで、回転部材４のブラシ部４ｂは放電電極１を清掃することができ、回転部材４のブラシ部４ｃはバランスセンサ８を清掃することができ、回転部材４のブラシ部４ｄはバランスセンサ８ａを清掃することができる。当該構成によれば、放電電極１およびバランスセンサ８，８ａを同時に清掃可能となる。
【００５１】
［実施の形態５］
図１０は、実施の形態５におけるイオン発生装置１０Ｆを模式的に示す断面図である。イオン発生装置１０Ｆは、放電電極１、メッシュカバー１Ｓ、モータ２、ファン３、回転部材４、切替機構５、制御部６、バランスセンサ８、導電性テープ９、筒状部１０Ｔ、および図示しない電源等を備える。
【００５２】
筒状部１０Ｔは、たとえば樹脂製であり、イオンが通過する流路をその内側に形成する。筒状部１０Ｔの厚みは、たとえば１ｍｍ〜２ｍｍである。放電電極１は、先端部１Ｔを有し、図示しない電源から高電圧が印加されることで、先端部１Ｔにおいてイオンを発生させる。本実施の形態においては、回転部材４および切替機構５は、必須の構成ではない。
【００５３】
放電電極１、モータ２およびファン３は、筒状部１０Ｔの内側に配置されている。ファン３は、モータ２の出力軸（出力部２ａ）に連結されている。ファン３は、モータ２に回転駆動されることで、放電電極１で発生したイオンを送風気流に乗せて外部に送り出すことができる。
【００５４】
バランスセンサ８は、正イオンおよび負イオンのイオンバランスを検出する。本実施の形態のバランスセンサ８は、環状の形状を有しており、導電性テープ９とともに、筒状部１０Ｔの外側に配置されている。バランスセンサ８は、導電性テープ９によって、筒状部１０Ｔの外周面に接合されている。バランスセンサ８は、筒状部１０Ｔの内表面上におけるイオンバランス（帯電状況）を、導電性テープ９および筒状部１０Ｔを介して間接的に検知することができる。なお、導電性テープ９は、必須の構成ではない。導電性テープ９の代わりに、導電性の接着剤などを用いても構わない。
【００５５】
（作用および効果）
一般的には、バランスセンサ８は、筒状部１０Ｔの内側に配置されている（上述の図８および図９参照）。イオンがバランスセンサ８に接触し、バランスセンサ８で発生した電圧を検知することで、正イオンと負イオンとのバランスを把握することが可能となる。バランスセンサ８が筒状部１０Ｔの内側に配置されている場合には、イオンバランスを高い精度で検知できるものの、バランスセンサ８によるセンシングのためにイオン量が減少してしまう。また、バランスセンサ８にはほこりが付着しやすいため、イオンバランスを高い精度で検知可能とするためには、適度な清掃も必要となる。
【００５６】
本実施の形態においては、バランスセンサ８が、筒状部１０Ｔの外側に配置されている。バランスセンサ８は、筒状部１０Ｔ（ＡＢＳ樹脂など）の帯電状態を検知することで、筒状部１０Ｔの内側（流路内）のイオンバランスを検出する。バランスセンサ８が流路（風路）の外に配置されている分だけ上記の場合に比べて高い検知精度は得られにくいかもしれないが、バランスセンサ８そのものにほこりが付着することはなく、バランスセンサ８としての長い耐用期間（寿命）を得ることが可能である。
【００５７】
バランスセンサ８が筒状部１０Ｔの内側（流路内）に配置されていない分、イオンは効率よく放出される。さらに、バランスセンサ８が流路内において外気に露出している場合には、バランスセンサ８に静電気が発生する可能性がある。静電気の発生は、内部回路へ過電流が流れることにも繋がるため、保護回路などが必要となる。これに対して、本実施の形態のバランスセンサ８は、筒状部１０Ｔの外側に位置しており露出していないため、静電気がバランスセンサ８に発生することもほとんどなく、そのような静電気の発生により内部回路が損傷してしまう可能性も全くない。
【００５８】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００５９】
１  放電電極、１Ｓ  メッシュカバー、１Ｔ  先端部、２  モータ、２ａ，２ｂ  出力部、２ｄ，２ｐ，２ｑ  回転体、２ｍ  モータ本体部、３  ファン、４  回転部材、４Ｓ  検知部、４ａ  軸部、４ｂ，４ｃ，４ｄ  ブラシ部、４ｑ  押圧部、５  切替機構、５ａ  本体部、５ｂ  作動軸、５ｃ  ハンドル、６  制御部、７ａ，７ｂ  電源、８，８ａ  バランスセンサ、９  導電性テープ、１０，１０Ａ，１０Ｂ，１０Ｃ，１０Ｄ，１０Ｅ，１０Ｆ  イオン発生装置、１０Ｓ  起動スイッチ、１０Ｔ  筒状部、１０Ｕ  筺体。
【図１】
2017107759.tif 000003
【図２】
2017107759.tif 000004
【図３】
2017107759.tif 000005
【図４】
2017107759.tif 000006
【図５】
2017107759.tif 000007
【図６】
2017107759.tif 000008
【図７】
2017107759.tif 000009
【図８】
2017107759.tif 000010
【図９】
2017107759.tif 000011
【図１０】
2017107759.tif 000012